(57)【要約】【課題】安全弁作動時のガス漏れを確実に阻止する。【解決手段】ガスダクト４０と安全弁３とを気密に連通するための弾性を有するシール部材２０と、シール部材２０を封口板４側に押圧するための押圧部３０とを備える電源装置であって、シール部材２０は、電池セル１の安全弁３と対応する位置にシール開口部２１を開口しており、押圧部３０は、シール開口部２１と対応する位置に押圧開口部３１を開口しており、シール開口部２１と押圧開口部３１を介して、安全弁３とガスダクト４０とを連通するガス排出路が形成されており、押圧部３０はさらに、シール部材２０が押圧部３０に押圧された際にシール開口部２１の開口を狭くする方向に変形することを阻止するための開口維持部３２を備えており、開口維持部３２は、シール開口部２１の開口端縁の内壁面に対して平行に突出された平行面を有し、該平行面をシール部材２０と当接させている。【選択図】図６
2010277735.tif 000002
【特許請求の範囲】
【請求項１】
内圧上昇時に開弁して内部のガスを放出するための安全弁を封口板に備える一以上の電池セルと、
前記安全弁から放出されるガスを排出口に案内するためのガスダクトと、
前記ガスダクトと安全弁とを気密に連通するための弾性を有するシール部材と、
前記シール部材を前記封口板側に押圧するための押圧部と、
を備える電源装置であって、
前記シール部材は、前記電池セルの安全弁と対応する位置にシール開口部を開口しており、
前記押圧部は、前記シール開口部と対応する位置に押圧開口部を開口しており、
前記シール開口部と押圧開口部を介して、前記安全弁とガスダクトとを連通するガス排出路が形成されており、
前記押圧部はさらに、前記シール部材が前記押圧部に押圧された際に前記シール開口部の開口を狭くする方向に変形することを阻止するための開口維持部を備えており、
前記開口維持部は、前記シール開口部の開口端縁の内壁面に対して平行に突出された平行面を有し、該平行面を前記シール部材と当接させてなることを特徴とする車両用電源装置。
【請求項２】
請求項１に記載の電源装置であって、
前記開口維持部は、前記平行面を、前記シール開口部の開口端縁の内壁の少なくとも一部を覆う折曲片で形成していることを特徴とする車両用電源装置。
【請求項３】
請求項２に記載の電源装置であって、
前記押圧部は、前記押圧開口部を前記シール開口部よりも開口面積を狭く形成され、前記押圧開口部の内壁が連続して略同一平面となるように前記平行面を形成してなることを特徴とする車両用電源装置。
【請求項４】
請求項３に記載の電源装置であって、
前記押圧部で前記シール部材を押圧した状態で、前記平行面の先端と前記電池セルとの間に隙間を形成してなることを特徴とする車両用電源装置。
【請求項５】
内圧上昇時に開弁して内部のガスを放出するための安全弁を封口板に備える一以上の電池セルと、
前記安全弁から放出されるガスを排出口に案内するためのガスダクトと、
前記ガスダクトと安全弁とを気密に連通するための弾性を有するシール部材と、
前記シール部材を前記封口板側に押圧するための押圧部と、
を備える電源装置であって、
前記シール部材は、前記電池セルの安全弁と対応する位置にシール開口部を開口しており、
前記押圧部は、前記シール開口部と対応する位置に押圧開口部を開口しており、
前記シール開口部と押圧開口部を介して、前記安全弁とガスダクトとを連通するガス排出路が形成されており、
前記押圧部はさらに、前記シール部材が前記押圧部に押圧された際に前記シール開口部の開口を広くする方向に変形させるための開口維持部を備えており、
前記開口維持部は、前記シール開口部の開口端縁近傍の上面に食い込む刺入片を備えてなることを特徴とする電源装置。
【請求項６】
請求項５に記載の電源装置であって、
前記開口維持部は、前記シール開口部の開口端縁の内壁面に対して平行に突出された平行面を有し、
前記刺入片は、その先端をカギ状に形成し、該カギ状のシール開口部に面する側を傾斜面とし、該傾斜面の反対側を前記平行面としてなることを特徴とする電源装置。
【請求項７】
請求項１から６のいずれか一に記載の電源装置を備える車両。
【発明の詳細な説明】
【技術分野】
【０００１】
本発明は、安全弁を設けた電池セルを有する電源装置及びこれを備える車両に関し、特に安全弁の作動時に電池内部のガスを確実に排出できる電源装置及びこれを備える車両に関する。
【背景技術】
【０００２】
複数の電池セルを備える電源装置は、ハイブリッド自動車や電気自動車など車両用の電源装置などに利用されている。このような電池セルは、高温時などに内圧が上昇した際、内部のガスを外部に排出できるよう安全弁を設けている。このようなガスを安全に誘導して排出するため、安全弁はガスダクトに連通されており、さらにガスダクトと安全弁との連結部分でガス漏れを防止すべく、シール部材により気密にシールされている（例えば特許文献１参照）。
【先行技術文献】
【特許文献】
【０００３】
【特許文献１】特開２００７−１５７６３３号公報
【発明の概要】
【発明が解決しようとする課題】
【０００４】
しかしながら、ガス排出時にガスが勢いよく噴出されると、このようなシール構造では十分でないことも考えられる。特に安全弁が作動するときは電池セル内が極めて高圧であるため、排出されるガス圧も瞬間的に極めて高くなる。このため、強いガス圧によってガスダクトが変形、破損したり、接着部分が破断されることも考えられる。
【０００５】
また、安全弁とガス排出用のダクトとのシール構造としては、ゴムなどの弾性シール部材を用いることが一般的である。この構成においては、意図しない部位からのガス漏れを阻止すべく、気密性を高めようとすれば、シール部材を強く押圧して弾性変形させることが考えられる。しかしながら、シール部材に対する押圧力を高める程、シール部材の変形量が大きくなる結果、変形したシール部材がガス排出経路の開口面積を狭くしたり、これを塞いでしまうことがあり、スムーズなガスの排出を阻害する虞があった。この様子を図１０Ａ及び図１０Ｂに基づいて説明すると、図１０Ａに示す状態からシール部材を押圧してその厚さをＴからｔまで薄くすれば、ガス排出路の内径が本来のＤからｄに狭められる。ガス排出路が狭くなると、それだけガスのスムーズな排出が阻害されることとなる。特に、電池セル内部のガス圧が瞬間的にでも高くなった際には、速やかに内圧を低下させることが求められるところ、このようなガス排出経路を阻害する変形によって信頼性の低下に繋がるという問題があった。
【０００６】
本発明は、従来のこのような問題点を解決すべくなされたものである。本発明の主な目的は、安全弁作動時のガス漏れを確実に阻止可能な電源装置及びこれを備える車両を提供することにある。
【課題を解決するための手段及び発明の効果】
【０００７】
上記課題を解決するために、本発明に係る第１の電源装置は、内圧上昇時に開弁して内部のガスを放出するための安全弁を封口板に備える一以上の電池セルと、前記安全弁から放出されるガスを排出口に案内するためのガスダクトと、前記ガスダクトと安全弁とを気密に連通するための弾性を有するシール部材と、前記シール部材を前記封口板側に押圧するための押圧部と、を備える電源装置であって、前記シール部材は、前記電池セルの安全弁と対応する位置にシール開口部を開口しており、前記押圧部は、前記シール開口部と対応する位置に押圧開口部を開口しており、前記シール開口部と押圧開口部を介して、前記安全弁とガスダクトとを連通するガス排出路が形成されており、前記押圧部はさらに、前記シール部材が前記押圧部に押圧された際に前記シール開口部の開口を狭くする方向に変形することを阻止するための開口維持部を備えており、前記開口維持部は、前記シール開口部の開口端縁の内壁面に対して平行に突出された平行面を有し、該平行面を前記シール部材と当接させている。これにより、開口維持部でシール開口部の開口端縁が変形しないようガイドできるので、押圧部で押圧されたシール部材が変形してシール開口部を狭くし安全弁からのガス排出経路を阻害する事態を回避し、安全弁開弁時にガスの放出をスムーズに行える。
【０００８】
また第２の電源装置によれば、前記開口維持部は、前記平行面を、前記シール開口部の開口端縁の内壁の少なくとも一部を覆う折曲片で形成することができる。これにより、折曲片でシール開口部の開口端縁が変形しないようガイドできるので、押圧部で押圧されたシール部材が変形してシール開口部を狭くし安全弁からのガス排出経路を阻害する事態を回避し、安全弁開弁時にガスの放出をスムーズに行える。
【０００９】
さらに第３の電源装置によれば、前記押圧部を、前記押圧開口部を前記シール開口部よりも開口面積を狭く形成し、前記押圧開口部の内壁が連続して略同一平面となるように前記平行面を形成することができる。これにより、開口維持部の形成を容易にすると共に、押圧開口部の内径をスムーズにして、ガスをスムーズにガスダクトに案内できる。
【００１０】
さらにまた第４の電源装置によれば、前記押圧部で前記シール部材を押圧した状態で、前記平行面の先端と前記電池セルとの間に隙間を形成することができる。これにより、シール部材の厚さのばらつきを吸収して、押圧部で電池セルの上面側を同一平面として押圧できる。
【００１１】
さらにまた第５の電源装置によれば、内圧上昇時に開弁して内部のガスを放出するための安全弁を封口板に備える一以上の電池セルと、前記安全弁から放出されるガスを排出口に案内するためのガスダクトと、前記ガスダクトと安全弁とを気密に連通するための弾性を有するシール部材と、前記シール部材を前記封口板側に押圧するための押圧部と、を備える電源装置であって、前記シール部材は、前記電池セルの安全弁と対応する位置にシール開口部を開口しており、前記押圧部は、前記シール開口部と対応する位置に押圧開口部を開口しており、前記シール開口部と押圧開口部を介して、前記安全弁とガスダクトとを連通するガス排出路が形成されており、前記押圧部はさらに、前記シール部材が前記押圧部に押圧された際に前記シール開口部の開口を広くする方向に変形させるための開口維持部を備えており、前記開口維持部は、前記シール開口部の開口端縁近傍の上面に食い込む刺入片を備えることができる。これにより、刺入片をシール開口部の開口端縁近傍の上面に食い込ませて、シール開口部の開口端縁が拡張するよう変形させることができるので、押圧部で押圧されたシール部材が変形してシール開口部を狭くし安全弁からのガス排出経路を阻害する事態を回避し、安全弁開弁時にガスの放出をスムーズに行える。
【００１２】
さらにまた第６の電源装置によれば、前記開口維持部は、前記シール開口部の開口端縁の内壁面に対して平行に突出された平行面を有し、更に前記刺入片は、その先端をカギ状に形成し、該カギ状のシール開口部に面する側を傾斜面とし、該傾斜面の反対側を前記平行面とすることができる。これにより、開口維持部をシール開口部の開口端縁近傍の上面に食い込ませた際の、シール開口部の開口端縁を拡開する効果を高め、より確実にガス排出経路を確保してスムーズなガス排出が図られる。
【００１３】
さらに上記の電源装置を備えた車両としても好適に利用できる。
【図面の簡単な説明】
【００１４】
【図１】実施の形態に係る電源装置の外観を示す斜視図である。
【図２】図１の電源装置からガスダクト、押圧部、シール部材、枠体を分解した分解斜視図である。
【図３】図１の電源装置から電池セル、セパレータ、エンドプレートを分解した分解斜視図である。
【図４】図１の電源装置の側面図である。
【図５】図１の電源装置の縦断面図である。
【図６】図５の安全弁の部分を拡大した斜視断面図である。
【図７】図１の電源装置の横断面図である。
【図８】開口維持部を示す拡大斜視断面図である。
【図９】図８の開口維持部からガスが排出される様子を示す模式断面図である。
【図１０Ａ】シール部材を押圧する前の状態を示す模式断面図である。
【図１０Ｂ】図１０Ａの状態からシール部材を押圧してその厚さをＴからｔまで薄くした模式断面図である。
【図１１】変形例に係る開口維持部を用いたガス排出経路を示す断面斜視図である。
【図１２】図１１の開口維持部からガスが排出される様子を示す模式断面図である。
【図１３】変形例に係る刺入片を示す模式断面図である。
【図１４】図１３の刺入片でシール部材を押圧する様子を示す模式断面図である。
【図１５】変形例に係る面取りした刺入片を示す模式断面図である。
【図１６】変形例に係る端面を矩形状とした刺入片を示す模式断面図である。
【図１７】変形例に係る湾曲させた刺入片を示す模式断面図である。
【図１８Ａ】図１３の刺入片と、これに対応する溝部の例を示す模式断面図である。
【図１８Ｂ】図１８Ａの刺入片を溝部に挿入した例を示す模式断面図である。
【図１９】図１７の刺入片でシール部材を押圧した状態を示す拡大斜視図である。
【図２０】図８のスライド機構でガスダクトがスライドする様子を示す模式横断面図である。
【図２１】変形例に係るスライド機構を示す模式横断面図である。
【図２２】変形例に係る押圧部を用いたガス排出経路を示す断面斜視図である。
【図２３】電源装置を搭載した車両の一例を示す模式断面図である。
【図２４】電源装置を搭載した車両の他の例を示す模式断面図である。
【発明を実施するための形態】
【００１５】
以下、本発明の実施の形態を図面に基づいて説明する。ただし、以下に示す実施の形態は、本発明の技術思想を具体化するための電源装置及びこれを備える車両を例示するものであって、本発明は電源装置及びこれを備える車両を以下のものに特定しない。また特許請求の範囲に示される部材を、実施の形態の部材に特定するものでは決してない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施の形態１）
【００１６】
以下、電源装置の一実施の形態として車両用電源装置に適用した例を、図１〜図９に基づいて説明する。これらの図において、図１は電源装置１００の外観斜視図、図２は図１からガスダクト４０、押圧部３０、シール部材２０、枠体５０を分解した分解斜視図、図３は図１から電池セル１とセパレータ６、エンドプレート７を分解した分解斜視図、図４は図１の側面図、図５は縦断面図、図６は図５の安全弁３の部分を拡大した拡大斜視断面図、図７は図１の横断面図を、図８は開口維持部３２を示す拡大斜視断面図、図９は図８の開口維持部３２からガスが排出される様子を示す模式断面図を、それぞれ示している。この電源装置１００は、図２の分解斜視図に示すように、複数の電池セル１を積層した電池ブロック１０と、枠体５０と、シール部材２０と、押圧部３０と、ガスダクト４０とを備えている。
（電池セル１）
【００１７】
電池ブロック１０は、図３の分解斜視図に示すように、複数枚の電池セル１を、絶縁性のセパレータ６を介して積層し、側面をエンドプレート７で被覆したブロック体である。電池セル１は、その厚さを上辺の横幅よりも薄くした薄型の外装缶２を利用している。この外装缶２は、両側を湾曲面として、外装缶２の四隅のコーナ部を面取りした略箱形形状としている。この形状の外装缶２は、丸形電池に対する角形電池とも呼ばれる。また外装缶２の上面で外装缶２を封止する封口板４には、一対の電極端子５を突出させるとと共に、電極端子５の間に安全弁３を設けている。安全弁３は、外装缶２の内圧が所定値以上に上昇した際に開弁して、内部のガスを放出できるように構成される。安全弁３の開弁により、外装缶２の内圧上昇を停止することができる。
【００１８】
電池セル１を構成する素電池は、リチウムイオン電池、ニッケル−水素電池、ニッケル−カドミウム電池等の充電可能な二次電池である。特に薄型電池にリチウムイオン電池を使用すると、パック電池全体の容量に対する充電容量を大きくできる特長がある。
（ガスダクト４０）
【００１９】
このような二次電池は、大電流での充放電によって内部のガス圧が上昇することがある。このため二次電池を内蔵する電源装置には、安全弁３を開弁してガスを放出した際に、このガスが意図しない部位から漏れ出さないよう、所定の経路に案内するためのガス排出路が設けられる。このため電池ブロック１０の上面には、ガスダクト４０が配置される。ガスダクト４０は、高圧、高温のガスが排出された際に破壊されない十分な強度に設計され、好ましくは耐熱性、剛性に優れたステンレスなどの金属製とする。図２、図４、図５、図６、図７等に示す例では、ガスダクト４０は中空の箱形に形成され、図示しないガス排出経路と気密に連通されており、このガス排出経路に案内されて安全に外部に排出される。またガスダクト４０を電池ブロック１０の安全弁３に気密に連通するために、シール部材２０が設けられている。
（シール部材２０）
【００２０】
シール部材２０は、弾性を有するシート状の部材であり、シリコーン系樹脂等が利用できる。シール部材２０は図２に示すように電池ブロック１０の上面に載置した際に、各安全弁３の位置と対応する位置にシール開口部２１が各々開口されている。シール開口部２１は、安全弁３の外周とほぼ等しい大きさ或いはこれよりも若干大きく形成される。
（押圧部３０）
【００２１】
またシール部材２０と封口板４との間に隙間が生じないよう、シール部材２０を封口板４上面に押圧する押圧部３０を、シール部材２０の上面に設け、押圧部３０と封口板４とでシール部材２０を狭持してシール部材２０を弾性変形させることで、気密性を維持している。押圧部３０にも、シール部材２０と同様に安全弁３の位置に押圧開口部３１が開口されており、さらに押圧部３０の上にはガスダクト４０が枠体５０を介して固定されている。これにより、図４、図５、図６等に示すように、安全弁３とガスダクト４０とがシール開口部２１及び押圧開口部３１を介して連通される。また押圧部３０とシール部材２０との界面に、接着材を塗布するなどしてこれらを固定することが好ましい。
【００２２】
このような弾性変形するシール部材２０を押し潰して気密性を維持する構成においては、シール部材２０の変形によって安全弁３からのガスの排出が阻害される虞があるという問題があった。安全弁３が開弁してガスが排出される際は、電池セルの内部が何らかの異常によって高圧になっている状態であり、このような状態においては速やかにガスを排出することが求められる。一方で、ガスが意図しない部位に漏れ出すことを阻止すると共に、ガス排出時の高圧によっても気密性が維持されるよう、ガス排出経路の継ぎ目部分には十分な気密性の確立が求められる。
【００２３】
ここで、シール部材２０はゴムなどの弾性部材であるため、押圧されると変形する。シール性を向上させるためにはある程度シール部材２０を押圧して変形させる必要がある。しかしながら、気密性を高めようとしてシール部材２０を強い押圧力で狭持すればする程、シール部材２０の変形量も大きくなる。この結果、図１０Ａから図１０Ｂに示すようにシール開口部２１の開口面積をＤからｄに狭くするようにシール部材２０が変形して、ガスのスムーズな排出が阻害される虞がある。
（開口維持部３２）
【００２４】
そこで本実施の形態では、このようなシール部材２０がシール開口部２１の開口を狭くする方向に変形することを阻止するための開口維持部３２を、押圧部３０に設けている。開口維持部３２は、シール開口部２１の開口端縁の内壁面に対して平行に突出された平行面を有しており、この平行面をシール部材２０と当接させる。開口維持部３２を備える押圧部３０の一例を図６の拡大断面図に示す。この図に示す開口維持部３２は、シール開口部２１の開口端縁の内壁を部分的に覆う折曲片３３である。この折曲片３３は、押圧開口部３１の端縁で、内壁面を下方向に延長するように、内壁と略同一平面に形成されている。すなわち、折曲片３３は内壁面と連続するように一体成形されている。
（折曲片３３）
【００２５】
この折曲片３３の働きを図９の断面図に基づいて説明する。シール部材２０を上面から押圧部３０で押し潰すと、折曲片３３がない場合は図１０Ａに示すようにシール部材２０の端縁が変形してシール開口部２１に向かって突出しようとする。これに対して折曲片３３を押圧開口部３１の端縁に設けることで、シール部材２０の端縁がシール開口部２１側に押し広げられるのを防止する。この結果、シール開口部２１でのガス排出路が安定的に確保され、安全弁３の作動時にガスＧＳの排出をスムーズに行うことができる。このようにして、シール部材２０を押圧してシール性を確保しつつ、シール部材２０の変形が安全弁３の動作に影響を与える事態を、開口維持部３２で効果的に阻止する。
【００２６】
なお、折曲片３３をシール開口部２１の内壁に配置させることで、折曲片３３の厚さに相当する分だけシール開口部２１の開口径が狭くなるため、好ましくはこの分だけシール開口部２１の開口径を大きく形成する。
（刺入片３４）
【００２７】
上記の例では、開口維持部３２は、シール開口部２１の開口を狭くする変形を阻止する構造としている。ただ、開口維持部はこれに限定されるものでなく、シール開口部の開口を広くする方向に変形させる構造も利用できる。変形例として、このような開口維持部の例を図１１から図１２に基づいて説明する。これらの図において、図１１はガス排出経路を示す断面斜視図を、図１２は安全弁３作動時にガスＧＳが排出される様子を示す模式断面図を、それぞれ示している。これらの図に示す開口維持部３２は、シール開口部２１の開口端縁近傍の上面を刺入する刺入片３４である。この刺入片３４は、開口端から離間した位置で下方に突出しており、刺入片３４をシール開口部２１に食い込ませることで、開口端縁近傍のシール部材２０が刺入片３４に引き寄せられるように変形する。この結果、開口端の上縁が面取状に変形し、シール開口部２１の開口径が拡開される。これによって、図１２に示すようにガス排出路は上端部分で大きくなり、気密性を維持しつつガスＧＳの一層スムーズな排出が可能となる。
【００２８】
図１１、図１２の例では、刺入片３４を押圧開口部３１の端縁から離間して設けているが、図１３の変形例に示す押圧部３０Ｂのように、押圧開口部３１Ｂの端縁に刺入片３４Ｂを設けてもよい。このように刺入片３４Ｂを押圧開口部３１Ｂ側に近付けることにより、押圧時には図１４に示すように押圧部３０Ｂとシール部材２０との界面を連続的に変化させることができ、ガスの排出が一層スムーズになるので好ましい。
【００２９】
またこれらの刺入片３４はその先端をカギ状に形成しており、シール開口部２１に面する側を傾斜面３５とし、該傾斜面３５の反対側を、開口端縁の内壁面と平行面３６としている。平行面３６のみでなく傾斜面３５を設けることで、シール部材２０への刺入をスムーズに行いつつ、傾斜面３５の長い距離に沿ってシール部材２０の変形量を大きくでき、この結果シール開口部２１の拡開量を大きくできる。
【００３０】
また刺入片の形状はこれに限られず、種々の形状が利用できる。変形例に係る刺入片の形状の例を図１５〜図１７に示す。図１５に示す押圧部３０Ｃの例では、カギ状の刺入片３４Ｃを面取りしている。また図１６に示す押圧部３０Ｄの例では、端面を折曲した矩形状３４Ｄとしている。さらに図１７の例では、押圧部３０Ｅの下面から、押圧開口部３１を設けた側と逆方向に湾曲させて突出させた突起状３４Ｅとしている。
【００３１】
刺入片３４は、好ましくは先端を鋭角にしない。先端を鋭利にすると、この部分でシール部材２０を破損、破断する虞があり、シール性の低下を招く虞がある。これを阻止するため、図１１、図１２に示すように刺入片３４の先端をカットした平面状としたり、あるいは図１５、図１７に示すように面取りすることができる。特に隅部を面取りした刺入片３４は、シール部材２０の一部に過度に応力が集中して破断する事態を回避できる。
（溝部２２）
【００３２】
またシール部材２０の上面には、このような刺入片３４を挿入するための溝部を形成してもよい。図１８Ａ、図１８Ｂは、一例として図１３に示す押圧部３０Ｂの刺入片３４Ｂと対応する溝部２２を設けたシール部材２０Ｂの例を示している。これにより、刺入片３４Ｂをスムーズに溝部２２に案内して押圧部３０Ｂを位置決めすると共に、変形量を必要最小限に抑制し、あるいは刺入片３４Ｂの端縁によりシール部材２０Ｂを破損する虞を低減できる。さらに刺入片３４Ｂを溝部２２に圧入した後は、シール部材２０Ｂの位置ずれを阻止する機能も果たす。一例として、図１７の刺入片３４Ｅをシール部材２０Ｅの溝部２２Ｅに圧入させた例を図１９に示す。このように内向きに突出させた刺入片３４Ｅは、封口板４の上面でシール部材２０Ｅを確実に固定できる。なお溝部２２、２２Ｅは、好ましくは刺入片の長さよりも若干浅く形成する。これにより、刺入片の溝部２２、２２Ｅへの挿入でシール開口部２１が拡開されるように、シール部材２０を好適に変形させることができる。
【００３３】
ここで本明細書において刺入とは、開口維持部でシール部材を部分的、局所的に押圧することを指し、シール部材を破断する必要はない。また溝部は、必ずしも必要でない。例えば図１５、図１７に示すように刺入片の背面すなわちシール開口部側を湾曲させることで、溝部が無くともスムーズな刺入と変形が実現できる。
【００３４】
このように、開口維持部３２は単にシール部材２０の変形を阻止するのでなく、寧ろ変形を積極的に利用して、シール開口部２１を拡開させることで、ガスの排出をよりスムーズにできる上、開口面積を広くしてガス圧を低減できるという利点も得られる。
（隙間ＧＰ）
【００３５】
押圧部３０は、図８、図９などに示すように、シール部材２０を押圧した状態で、平行面の先端と電池セル１との間に隙間ＧＰを形成することが好ましい。これにより、シール部材２０の厚さのばらつきを吸収して、押圧部３０で電池セル１の上面側を同一平面として押圧できる。
【００３６】
特に外装缶は、公差やばらつきに加え、金属板を深絞り加工で成形する関係上、その表面に抜き勾配すなわち上方に向けて外径が小さくなるように僅かなテーパが設けられている。このため、多数の外装缶を積層し金属バンドなどで締結すると、外装缶上面が同一平面に揃い難くなる。このため、外装缶上面の封口板の上部に固定するガスダクトとの界面で、気密性を維持することが容易でない。また、この界面をＯリングなどのパッキンで封止することも考えられるが、Ｏリングは変形量が比較的少ないため、大きなばらつきには十分対応できないという問題がある。
【００３７】
そこで、より変形量の大きい弾性シートを用いると共に、平行面をガス排出経路長、ここでは押圧されたシール部材２０のシール開口部２１と、押圧部３０の押圧開口部３１の厚さの和よりも、平行面の長さを短くすることで、このようなばらつきを吸収して、ガスダクト４０と封口板４との界面での気密性を確実に維持できる優れた効果が得られる。
（枠体５０）
【００３８】
枠体５０は、図６などに示すようにガスダクト４０を電池ブロック１０上面に固定するため、ガスダクト４０の周囲を覆う。またこの枠体５０は、安全弁３が作動してガスダクト４０内の圧力が急激に上昇した際でも、ガスダクト４０が外れないよう、上端を折曲してストッパ５１を設けている。さらにこのストッパ５１に対応させて、ガスダクト４０の下端も折曲させた鍔部４１を設けている。
（スライド機構４２）
【００３９】
さらにこの構造において、枠体を固定しつつ、ガスダクト４０を、枠体に沿って摺動可能としてもよい。このようなスライド機構４２を備える枠体５０とガスダクト４０は、図７及び図２０の横断面図に示すようにガス圧が上昇してガスダクト４０が浮き上がっても、完全にガスダクト４０が外れる事態を阻止すると共に、ガスダクト４０が浮き上がった際でも内部の気密性を維持あるいはガス漏れを最小限に抑制できる利点が得られる。
【００４０】
さらに、図２０に示すようにストッパ５１と鍔部４１との間に弾性材４３を配置することで、パッキンの役目を果たしてスライド機構４２のシール性を高めると共に、安全弁開弁時にガスＧＳの高圧によってガスダクト４０が離れる方向に押し上げられたとしても、気密性を維持できる。さらにガス圧が低下すると、弾性材４３の復元力によって、ストッパ５１と鍔部４１との間で鍔部４１を下面に向けて押圧するため、ガスダクト４０を押し下げてガスダクト４０と電池ブロックとの連結を元の状態に回復させることもできる。このような弾性材４３としては、スポンジやゴム、あるいはシリコーン系樹脂等が利用できる。
【００４１】
またスライド機構の構成は上記に限定されるものでなく、ガスダクトが枠体に対して上方向に摺動しても、ガスダクトと枠体との間に隙間が生じない構造が適宜利用できる。例えば、図２１の変形例に示すように一方の側壁（図の例ではガスダクト４０Ｂ）を二股に分岐させ、この間に他方の側壁（図の例では枠体５０Ｂ）を挿入する構成を採用することもできる。この構造では、ガスダクト４０Ｂと枠体５０Ｂとが接触している領域を長くすることができるため、この接触経路の範囲でガスダクト４０Ｂが摺動しても直接ガスダクト４０Ｂの内部空間が外部と連通することが無く、ガス漏れを回避乃至低減できる。また、これらの接触部分にも、必要に応じて弾性材などのシール部材を配置して、気密性を発揮できる。
【００４２】
なおこの構成は一例であり、ガスダクトの固定に枠体等の別部材を用いない構成としてもよい。例えば図２２の例では、枠体に代えて、押圧部３０Ｆの端縁から上面にリブ３７を一体に形成している。この例では、押圧部３０を板状とする代わりに、その上面の周囲に縦方向に折曲したリブ３７を設け、このリブ３７でもってガスダクト４０の壁面と接合する構成としている。
【００４３】
以上の電源装置は、車載用のバッテリシステムとして利用できる。電源装置を搭載する車両としては、エンジンとモータの両方で走行するハイブリッドカーやプラグインハイブリッドカー、あるいはモータのみで走行する電気自動車などの電動車両が利用でき、これらの車両の電源として使用される。
【００４４】
図２３に、エンジンとモータの両方で走行するハイブリッドカーに電源装置を搭載する例を示す。この図に示す電源装置を搭載した車両ＨＶは、車両ＨＶを走行させるエンジン９６及び走行用のモータ９３と、モータ９３に電力を供給するバッテリシステム１００Ｂと、バッテリシステム１００Ｂの電池を充電する発電機９４とを備えている。バッテリシステム１００Ｂは、ＤＣ／ＡＣインバータ９５を介してモータ９３と発電機９４に接続している。車両ＨＶは、バッテリシステム１００Ｂの電池を充放電しながらモータ９３とエンジン９６の両方で走行する。モータ９３は、エンジン効率の悪い領域、たとえば加速時や低速走行時に駆動されて車両を走行させる。モータ９３は、バッテリシステム１００Ｂから電力が供給されて駆動する。発電機９４は、エンジン９６で駆動され、あるいは車両にブレーキをかけるときの回生制動で駆動されて、バッテリシステム１００Ｂの電池を充電する。
【００４５】
また図２４に、モータのみで走行する電気自動車に電源装置を搭載する例を示す。この図に示す電源装置を搭載した車両ＥＶは、車両ＥＶを走行させる走行用のモータ９３と、このモータ９３に電力を供給するバッテリシステム１００Ｃと、このバッテリシステム１００Ｃの電池を充電する発電機９４とを備えている。モータ９３は、バッテリシステム１００Ｃから電力が供給されて駆動する。発電機９４は、車両ＥＶを回生制動する時のエネルギーで駆動されて、バッテリシステム１００Ｃの電池を充電する。
【産業上の利用可能性】
【００４６】
本発明に係る電源装置及びこれを備える車両は、電気自動車やハイブリッド自動車の車載用バッテリシステムとして好適に利用できる。また車載用以外の電源装置としても、好適に利用できる。
【符号の説明】
【００４７】
１００…電源装置
１００Ｂ、Ｃ…バッテリシステム
１…電池セル
２…外装缶
３…安全弁
４…封口板
５…電極端子
６…セパレータ
７…エンドプレート
１０…電池ブロック
２０、２０Ｂ、２０Ｅ…シール部材
２１…シール開口部
２２、２２Ｅ…溝部
３０、３０Ｂ、３０Ｃ、３０Ｄ、３０Ｅ、３０Ｆ…押圧部
３１、３１Ｂ…押圧開口部
３２…開口維持部
３３…折曲片
３４、３４Ｂ、３４Ｃ…刺入片
３４Ｄ…矩形状
３４Ｅ…突起状
３５…傾斜面
３６…平行面
３７…リブ
４０、４０Ｂ…ガスダクト
４１…鍔部
４２…スライド機構
４３…弾性材
５０、５０Ｂ…枠体
５１…ストッパ
９３…モータ
９４…発電機
９５…インバータ
９６…エンジン
ＧＳ…ガス
ＧＰ…隙間
ＨＶ、ＥＶ…車両
【図１】
2010277735.tif 000003
【図２】
2010277735.tif 000004
【図３】
2010277735.tif 000005
【図４】
2010277735.tif 000006
【図５】
2010277735.tif 000007
【図６】
2010277735.tif 000008
【図７】
2010277735.tif 000009
【図８】
2010277735.tif 000010
【図９】
2010277735.tif 000011
【図１０Ａ】
2010277735.tif 000012
【図１０Ｂ】
2010277735.tif 000013
【図１１】
2010277735.tif 000014
【図１２】
2010277735.tif 000015
【図１３】
2010277735.tif 000016
【図１４】
2010277735.tif 000017
【図１５】
2010277735.tif 000018
【図１６】
2010277735.tif 000019
【図１７】
2010277735.tif 000020
【図１８Ａ】
2010277735.tif 000021
【図１８Ｂ】
2010277735.tif 000022
【図１９】
2010277735.tif 000023
【図２０】
2010277735.tif 000024
【図２１】
2010277735.tif 000025
【図２２】
2010277735.tif 000026
【図２３】
2010277735.tif 000027
【図２４】
2010277735.tif 000028